(57)【特許請求の範囲】
【請求項１】
１対の中間基礎部材の上・下端に１対の上部基礎部材と１対の下部基礎部材を枢着し、１対の上部基礎部材の上端の間に上段の踏み板の基端を枢着し、１対の中間基礎部材の上端の間に下段の踏み板の基端を枢着し、１対の下部基礎部材同志を連結材で固着し、上段の踏み板の先端または中間と下段の踏み板とを１対の上部支持材で着脱可能に連結するとともに、下段の踏み板の先端または中間と１対の中間基礎部材とを１対の下部支持材で着脱可能に連結して組み立てたときに上下段の踏み板を水平に維持するとともに、各支持材を外して折り畳むようにしたことを特徴とする折り畳み式足場装置。
【請求項２】
各支持材の上端はそれぞれ上段または下段の踏み板の枠体に枢着され、下端には鈎型の溝を有していて、それぞれ下段の踏み板の枠体に、または、中間基礎部材に設けたピンと着脱可能に係合するようになっている請求項１記載の折り畳み式足場装置。
【請求項３】
下段の踏み板の枠体の基端は下方に折り曲がっており、上部基礎部材は、下段の踏み板より長くなっていて、折り畳んだとき上段の踏み板が下段の踏み板の下側に回り込んで密着するようになっている請求項１または請求項２記載の折り畳み式足場装置。
【発明の詳細な説明】
【０００１】
【発明の属する技術分野】
本発明は、折り畳み式足場装置にかかり、特に船体の曲がり外板部の継ぎ手工事の際に使用され、工事が終了して不用になったときには折り畳んで運ぶことのできる折り畳み式足場装置に関するものである。
【０００２】
【従来の技術】
造船所では船舶を建造する際、曲がり部の工事が発生するが、曲がり外板部の継ぎ手工事などを行うとき、従来は外板継ぎ手部近傍の外板内面に複数の足場金物を溶接して固定したり、複数の板を組み合わせたり、梯子を使用したりして足場にしていた。
【０００３】
図６は従来の船体外板の曲がり部に足場金物を固定した状態を示す概念図である。図において、ａは船側外板である。ｂは船底外板ｆと二重底ｉとの間の縦通部材である。ｃは船体内壁面に設けたロンジである。ｄは複数の足場金物で、溶接ｅにより固定されている。足場金物ｄは、上下のロンジｃ間の外板継ぎ手部の取り付け工事や溶接工事などに使用する。ｈは縦通部材ｂに設けた交通用開孔である。ｇは船底外板ｆおよび二重底ｉに設けた工事用孔である。交通用開孔ｈは工事終了後もそのまま開けておくが、工事用孔ｇは工事終了後塞いでしまう。
【０００４】
【発明が解決しようとする課題】
しかしながら、上記足場金物は、溶接で固定しているので、船体の継ぎ手工事が終了したときには足場金物をガス切断などにより撤去して撤去部を補修しなければならず、取り付けや撤去に時間がかかる。また、足場板の組み合わせでは作業性が悪く、梯子では折り曲げることができないので、全体の寸法が大きく、搬出入がむずかしい。
【０００５】
本発明は、従来技術のかかる問題点に鑑み案出されたもので、使用するときは船体の曲がり外板部に沿う形状に展張し、使用しないときは折り畳んで交通用開孔および工事用開孔を通って容易に搬入出できるようにするとともに、作業効率の向上を図ることができる折り畳み式足場装置を提供することを目的とする。
【０００６】
【課題を解決するための手段】
上記目的を達成するため、本発明における折り畳み式足場装置は、１対の中間基礎部材の上・下端に１対の上部基礎部材と１対の下部基礎部材を枢着し、１対の上部基礎部材の上端の間に上段の踏み板の基端を枢着し、１対の中間基礎部材の上端の間に下段の踏み板の基端を枢着し、１対の下部基礎部材同志を連結材で固着し、上段の踏み板の先端または中間と下段の踏み板とを１対の上部支持材で着脱可能に連結するとともに、下段の踏み板の先端または中間と１対の中間基礎部材とを１対の下部支持材で着脱可能に連結して組み立てたときに上下段の踏み板を水平に維持するとともに、各支持材を外して折り畳むようにしたものである。
【０００７】
各支持材の上端は、上下段の踏み板に枢着され、下端には鉤型の溝を有していて、ピンと着脱可能に係合するようになっているのが好ましい。
【０００８】
また、下段の踏み板の枠体の基端は下方に折り曲がっており、上部基礎部材は、下段の踏み板より長くなっていて、折り畳んだとき上段の踏み板が下段の踏み板の下側に回り込んで密着するようになっているのが好ましい。
【０００９】
次に、本発明の作用を説明する。使用するときは折り畳んで船底外板に設けられた工事用開孔、船底外板と二重底との間の縦通部材に設けられた交通用開孔を通って船体内に運び、外板曲がり部の継ぎ手部近傍の外板内面に、船側外板の曲がり形状に沿うように展張する。作業員は外板継ぎ手部の取り付け工事や溶接工事などを行う際、展張した足場装置を工事用足場として使用する。使用しないときは折り畳んで交通用開孔および工事用開孔を通って運べるように軽量にしたので、搬入出を容易にするとともに、作業効率の向上を図ることができる。
【００１０】
【発明の実施の形態】
以下、本発明の１実施形態について図面を参照しつつ説明する。図１は本発明の折り畳み式足場装置の斜視図である。図２は図１のａ部の拡大図である。図３は図１のｂ部の拡大図で、（Ａ）は側面図、（Ｂ）は（Ａ）のＡ−Ａ矢視図である。図４は折り畳み式足場装置の折り畳んだ状態を示す側面図である。図５は折り畳み式足場装置の使用状態を示す側面図である。図１ないし図５において、１は折り畳み式足場装置である。２は折り畳み式足場装置１の１対の下部基礎部材、３は１対の中間基礎部材、４は１対の上部基礎部材である。下部基礎部材２の上端は、中間基礎部材３の下端にピン５で枢着されており、上部基礎部材４の下端は、中間基礎部材３の上端にピン６で枢着されている。７は上部基礎部材４の上端と上段の踏み板１５の枠体９の基端９ａを枢着しているピンである。８は下部基礎部材２同志を連結した連結材である。上段の踏み板１５の枠体９の基端９ａは、１対の上部基礎部材４の上端の間に枢着されており、下段の踏み板１５ａの枠体１０の基端１０ａは、下方に曲がって突出していて、中間基礎部材３の上端の間に枢着されている（図１、図２、図４）。上部基礎部材４は、下段の踏み板１５ａの枠体１０よりも長くなっていて、折り畳んだとき、上段の踏み板１５が下段の踏み板１５ａの下側に回り込めるようになっている。また、枠体１０の基端１０ａが下方に曲がって突出しているので、上段の踏み板１５が下段の踏み板１５ａの下側に回り込んで互いに密着させることができる。１１は上段の踏み板１５の枠体９の先端と下段の踏み板１５ａの枠体１０の中間を連結した上部支持材である。上部支持材１１の下端は、図３に示すように、鉤状の溝１１ａを有していて枠体１０に設けたピン１４に着脱可能に係合している。ピン１４は、図３（Ｂ）に示すように、鉤状の溝１１ａとの間で着脱を容易にするためわずかな隙間ｄを設けている。１２は下段の踏み板１５ａの枠体１０の先端と中間基礎部材３の中間を連結した下部支持材である。下部支持材１２の下端は、上部支持材１１と同様に、鉤状の溝（図示せず）を有していて中間基礎部材３の中間に設けたピン１４ａに着脱可能に係合している。１３は上部支持材１１の上端と枠体９の先端を枢着したピンであり、１３ａは下部支持材１２の上端と枠体１０の先端を枢着したピンである。
【００１１】
１６は船側外板で、１６ａは船底外板である。１７は船体内壁面に設けたロンジである。１８は船体の長手方向の溶接継ぎ手部である。折り畳み式足場装置１は、上下のロンジ１７間の外板継ぎ手部の取り付け工事や溶接工事などの工事に使用する。
【００１２】
次に、本実施形態の作用を説明する。使用するときは折り畳んで船底外板１６ａに設けられた工事用開孔ｇ、船底外板１６ａと二重底ｉとの間の縦通部材ｂに設けられた交通用開孔ｈを通って船体内に運び、外板曲がり部の継ぎ手部１８近傍の外板内面に、船側外板１６の曲がり形状に沿うように展張する。作業員は外板継ぎ手部１８の取り付け工事や溶接工事などを行う際、展張した足場装置１を工事用足場として使用する。使用しないときは折り畳んで交通用開孔ｈおよび工事用開孔ｇを通って運べるように軽量にしたので、搬入出を容易にするとともに、作業効率の向上を図ることができる。
【００１３】
本発明は以上述べた実施形態に限定されるものではなく、本発明の要旨を逸脱しない範囲で種々の変更が可能である。
【００１４】
【発明の効果】
以上述べたように本発明の畳み式足場装置は、使用するときは船体の曲がり外板部に沿う形状に展張し、使用しないときは折り畳んで交通用開孔を通って運べるように軽量にしたので、運搬を容易にするとともに、作業効率の向上を図ることができるなどの優れた効果を奏する。
【図面の簡単な説明】
【図１】本発明の畳み式足場装置の斜視図である。
【図２】図１のａ部の拡大図である。
【図３】図１のｂ部の拡大図で、（Ａ）は側面図、（Ｂ）は（Ａ）のＡ−Ａ矢視図である。。
【図４】折り畳み式足場装置の折り畳んだ状態を示す側面図である。
【図５】折り畳み式足場装置の使用状態を示す側面図である。
【図６】従来の船体外板の曲がり部に足場金物を固定した状態を示す概念図である。
【符号の説明】
１  折り畳み式足場装置
２  下部基礎部材
３  中間基礎部材
４  上部基礎部材
５、６、７、１３、１３ａ、１４  ピン
８  連結材
９、１０  枠体
１０ａ  曲がり部（突出部）
１１  上部支持材
１１ａ  溝
１２  下部支持材
１５  上段踏み板
１５ａ  下段踏み板
１６  船側外板
１６ａ  船底外板
１７  ロンジ
１８  継ぎ手部
【図１】
0004605917.tif 000002
【図２】
0004605917.tif 000003
【図３】
0004605917.tif 000004
【図４】
0004605917.tif 000005
【図５】
0004605917.tif 000006
【図６】
0004605917.tif 000007